(57)【要約】【課題】流体チャネルの信頼性の高い遮断および開口を可能にする、カテーテルデバイスを提供する。【解決手段】本発明は、カテーテルデバイスであって、カテーテルと、ルーメンと、カテーテルを通る流体フローの制御のためのバルブとを含み、バルブは、バルブ制御スペース１２とクロージャーエレメント５とを備え、少なくとも１つのルーメンは、流体を導く様式で、給送チャネルまたは排出チャネルに接続されている。【選択図】図１
2019217398.tif 000002
【特許請求の範囲】
【請求項１】
カテーテルデバイス（１００）であって、
生物の中へ導入するためのカテーテル（６８）と、前記カテーテルデバイスの一部の中で流体フローを導くための少なくとも１つのルーメン（６９、７０、７４、７９）とを含み、
前記カテーテルを通る洗浄流体の前記流体フローの制御のためのバルブを含み、前記バルブは、バルブ制御スペース（１２、１２ａ）を備えており、前記バルブ制御スペース（１２、１２ａ）では、給送チャネル（１）が給送開口部（１ａ）に伸びており、排出チャネル（２）が排出開口部（２ａ）に延びており、前記バルブは、クロージャーエレメント（５、１３、１７）を備えており、前記クロージャーエレメント（５、１３、１７）は、制御された様式で前記バルブ制御スペース（１２、１２ａ）の中で移動可能であり、前記クロージャーエレメント（５、１３、１７）は、少なくとも１つの第１の位置（Ｉ）において、前記排出開口部（２ａ）を閉じ、少なくとも１つの第２の位置（ＩＩ）において、前記給送開口部（１ａ）を閉じ、少なくとも１つの第３の位置（ＩＩＩ）において、前記給送開口部（１ａ）と前記排出開口部（２ａ）との間の接続チャネルを開いた状態に保持し、前記クロージャーエレメント（５、１３、１７）を少なくとも前記第１、第２、または第３の位置へ選択的に移動させるバルブ駆動体（Ａ、Ａ’’、Ｂ、Ｂ’’、３、１４、１８）が設けられており、前記少なくとも１つのルーメン（６８、７０、７４、７９）は、流体を導く様式で、前記給送チャネルまたは前記排出チャネルに接続されており、
前記カテーテル（６８）は、回転可能なシャフトを含み、
前記回転可能なシャフト（６７）は、可撓性であり、特に、人間の大動脈弓の湾曲に適合され得る様式で可撓性であり、
前記生物の外側に設置され得る駆動デバイス（６６、６７）は、前記シャフトを駆動するために適用され、
前記カテーテル（６８）は、カテーテルポンプとして、特に、膨張可能なカテーテルポンプとして設計されており、
前記バルブ制御スペース（１２、１２ａ）は、破壊のない様式で、前記クロージャーエレメント（５、１３、１７）のバルブ駆動体から切り離され得、前記クロージャーエレメントの一部は、磁気的なエレメントから構成されており、前記バルブ駆動体は、前記クロージャーエレメントをさまざまな位置の間で移動させるために、磁界生成デバイスを有していることを特徴とするカテーテルデバイス（１００）。
【請求項２】
請求項１に記載のカテーテルデバイスであって、
前記カテーテル（６８）は、２つ以上のルーメン（６９、７０、７４、７９）を含み、少なくとも１つのルーメン（６９）は、流体を遠位方向に導くように設計されており、少なくとも１つのルーメン（７０）は、流体を近位方向に導くように設計されていることを特徴とするカテーテルデバイス。
【請求項３】
請求項２に記載のカテーテルデバイスであって、
第１のルーメンの中を前記遠位方向に導かれる前記流体フローの１０パーセントから９０パーセントが、別のルーメン（７０）の中を前記近位方向に導かれて戻され得ることを特徴とするカテーテルデバイス。
【請求項４】
請求項１に記載のカテーテルデバイスであって、
ルーメンは、少なくとも部分的に前記駆動デバイス（６６、６７）を通して導かれていることを特徴とするカテーテルデバイス。
【請求項５】
請求項１〜４のいずれか１項に記載のカテーテルデバイスであって、
１つ、２つ、３つ、または、それ以上のバルブ（７５、７５’’）が設けられていることを特徴とするカテーテルデバイス。
【請求項６】
請求項１〜５のいずれか１項に記載のカテーテルデバイスであって、
第１のバルブが設けられており、前記第１のバルブ（７５）の排出部は、前記カテーテルデバイスの給送部に接続されており、第２のバルブ（７５’）が存在しており、前記第２のバルブ（７５’）の前記給送部は、流体を近位方向に導くルーメン（６９）に接続されていることを特徴とするカテーテルデバイス。
【請求項７】
請求項１〜６のいずれか１項に記載のカテーテルデバイスであって、
前記クロージャーエレメント（５、１３、１７）の前記第３の位置（ＩＩＩ）は、前記第１の位置と前記第２の位置との間にあることを特徴とするカテーテルデバイス。
【請求項８】
請求項１〜７のいずれか１項に記載のカテーテルデバイスであって、
前記バルブ制御スペース（１２、１２ａ）は、前記給送開口部（１ａ）および前記排出開口部（２ａ）を除いて、すべての側部において、流体密封の様式で閉鎖されていることを特徴とするカテーテルデバイス。
【請求項９】
請求項１〜８のいずれか１項に記載のカテーテルデバイスであって、
前記クロージャーエレメント（５、１３、１７）は、移動可能な膜（５）を含み、前記移動可能な膜（５）は、流体密封の様式で前記バルブ制御スペース（１２）を閉鎖し、前記給送開口部（１ａ）または前記排出開口部（２ａ）を前記膜（５）の一部によって選択的に閉じることが可能であるように撓むことが可能であることを特徴とするカテーテルデバイス。
【請求項１０】
請求項９に記載のカテーテルデバイスであって、
前記バルブ駆動体（Ａ、Ａ’、Ｂ、Ｂ’、３、１４、１８）の駆動レバー（３、１４）は、少なくとも前記第１および第２の位置において、前記膜（５）を撓ませることを特徴とするカテーテルデバイス。
【請求項１１】
請求項１〜１０のいずれか１項に記載のカテーテルデバイスであって、
前記クロージャーエレメント（５、１３、１７）は、磁気的に作用するバルブ駆動体（Ａ、Ａ’、Ｂ、Ｂ’）によって駆動され得ることを特徴とするカテーテルデバイス。
【請求項１２】
請求項１１に記載のカテーテルデバイスであって、
前記バルブ制御スペース（１２、１２ａ）の中に配置されている前記クロージャーエレメント（５、１３、１７）は、磁気的にアクティブであり、前記バルブ駆動体（Ａ、Ａ’、Ｂ、Ｂ’）の磁界と相互作用することを特徴とするカテーテルデバイス。
【請求項１３】
請求項１０または１１に記載のカテーテルデバイスであって、
前記駆動レバー（３、１４）は、磁気的に駆動可能であることを特徴とするカテーテルデバイス。
【請求項１４】
請求項１１に記載のカテーテルデバイスであって、
前記バルブ制御スペース（１２、１２ａ）、および、前記クロージャーエレメント（５、１３、１７）に機械的に接続されている前記バルブ駆動体のパーツ（３、１４、１８）は、前記給送開口部および前記排出開口部（１ａ、２ａ）を除いて、流体密封の様式で閉鎖されており、前記バルブ駆動体の磁界を作り出すデバイス（Ａ、Ａ’、Ｂ、Ｂ’）から分離可能であることを特徴とするカテーテルデバイス。
【請求項１５】
請求項１〜１４のいずれか１項に記載のカテーテルデバイスであって、
前記クロージャーエレメントは、弾性的なスプリングエレメント（１０、１８）によって、好ましくは、前記第３の位置（ＩＩＩ）へ移動させられることを特徴とするカテーテルデバイス。
【請求項１６】
請求項１〜１５のいずれか１項に記載のカテーテルデバイスであって、
磁石（１３’’、１３’’’、１３’’’’）は、分離デバイスの一部として、前記バルブ制御スペース（１２、１２ａ）の上に直接的に設けられており、特に、前記クロージャーエレメント（５、１３、１７）の内側に設けられていることを特徴とするカテーテルデバイス。
【請求項１７】
請求項１６に記載のカテーテルデバイスであって、
前記１つのバルブ駆動体の駆動アーマチュア（５３、５４、６２、６３）の１つ以上の前記磁石（１３’’、１３’’’、１３’’’’）は、別々に設けられており、特に、距離を置かれた様式で設けられていることを特徴とするカテーテルデバイス。
【発明の詳細な説明】
【技術分野】
【０００１】
本発明は、メカニクスの分野に関し、特に有利には、医療技術の分野に適用可能である。本発明は、特に、さまざまな圧力条件においても、カテーテルを通る流体フローの信頼性の高い遮断を可能にするカテーテルデバイスに関する。
【背景技術】
【０００２】
流体フローを制御するためのさまざまな遮断バルブが、先行技術から公知である。工業的に開発された使い捨ての遮断バルブが、たとえば、特許文献1に開示されている。簡単な逆止バルブは、たとえば、特許文献２から公知である。そのような逆止バルブは、たとえば、自動車技術において適用されている。そのような遮断バルブは、基本的に、非常に制限された適用エリアを有しており、そのようなバルブは、狭い圧力範囲のみに関して設計されていることが多いので、過大圧力もしくは過小圧力のいずれかにおいて、または、圧力変動のケースにおいて、問題が生じる。しかし、媒体の分離は、さらに絶対的に必要であり、つまり、遮断場所を含む実際の流体チャネルは、医療分野における用途の場合に、また、他の専門分野における用途の場合にも、たとえば、駆動エレメントなどのような、バルブの他のエレメントから密閉されていなければならない。
【０００３】
そのうえ、簡単なクリーニングおよび殺菌が可能であるということ、または、選択的に、使い捨てのコンポーネントが使用されるケースにおいて、簡単に交換可能であるということは、医療技術の分野における用途に関して重要である。
【先行技術文献】
【特許文献】
【０００４】
【特許文献１】ＤＥ  ２０  ２０１３  １０４７１１  Ａ１
【特許文献２】ＤＥ  １１  ２００９  ００３６７６  Ｔ５
【発明の概要】
【発明が解決しようとする課題】
【０００５】
したがって、先行技術の背景に対して、本発明の目的は、低い流体スループットにおいて、また、さまざまな圧力条件下においても、流体チャネルの信頼性の高い遮断および開口を可能にする、カテーテルデバイスまたはバルブを生成させることである。
【課題を解決するための手段】
【０００６】
この目的は、特許請求の範囲による本発明の特徴によって実現される。本発明の有利な実施形態は、従属請求項において特定されている。
【０００７】
これは、第１に、カテーテルデバイスであって、生物の中へ導入するためのカテーテルと、カテーテルデバイスの一部によって流体フローを導くための少なくとも１つのルーメンとを含み、特にカテーテルを通る流体フローの制御のためのバルブを含み、バルブは、バルブ制御スペースを備えており、バルブ制御スペースでは、給送チャネルが給送開口部に伸びており、排出チャネルが排出開口部に伸びており、バルブは、クロージャーエレメントを備えており、クロージャーエレメントは、制御された様式でバルブ制御スペースの中で移動可能であり、クロージャーエレメントは、少なくとも１つの第１の位置において、排出開口部を閉じ、少なくとも１つの第２の位置において、給送開口部を閉じ、少なくとも１つの第３の位置において、給送開口部と排出開口部との間の接続チャネルを開いた状態に保持し、クロージャーエレメントを少なくとも第１、第２、または第３の位置へ選択的に移動させるバルブ駆動体が設けられており、少なくとも１つのルーメンは、流体を導く様式で、給送チャネルまたは排出チャネルに接続されている、カテーテルデバイスに関する。
【０００８】
より詳細にもう一度さらに下記に説明されているように、洗浄流体を非常に正確に導くことは、カテーテルデバイスによって可能であり、これは、洗浄方向に関して可能であり、カテーテルの中の洗浄体積および洗浄フローに関して可能である。これは、特に、可撓性の回転可能なシャフトの背景に対して実現され、それは、特に、据え付けの長さおよび場所に応じて、吸い込み効果または変化する圧力条件を有する。そのうえ、バルブが完全に機能するということは、医療技術のこの分野において、実際に最重要のことである。特に、汚染および摩耗破片、たとえば、金属摩耗破片を、洗浄流体から除去するために、分離デバイスに連結することも制御可能である。たとえば、分離デバイス（したがって、摩耗破片を捕捉／捕獲するためのデバイスなど）の「通過洗浄（ｔｈｒｏｕｇｈ−ｒｉｎｓｉｎｇ）」のケースにおいて、クリーニングのために一時的な方向逆転が意味をなす場合には、これは、可能である。
【０００９】
たとえば、そのような分離デバイスの例は、同日に出願されたＥＣＰ  ＧｍｂＨの並列のＥＣＰ４６ＰＣＴ（ファイル番号はまだ知られていない）において説明されている。そのうえ、先行出願ＥＰ１５１５２２０１．８およびＥＰ１５１５２２０５．９の両方の優先権が主張されている。３つの特許出願すべての開示の内容は、それらが最初に出願された形式で、その全体が、本願に引用して援用されている（「引用による援用」）。
【００１０】
１つの実施形態は、カテーテルが回転可能なシャフトを含むことを想定している。これは、たとえば、可撓性であり、特に、人間の大動脈弓の湾曲に適合され得る様式で可撓性であり、したがって、たとえば、それぞれのシャフトを大腿動脈の中へ導入するときに、および、それを大動脈に沿ってさらに導くときに、可撓性のシャフトの先端部におけるポンプヘッドが、心臓の心室の中へ導入される様式で可撓性であり、また、大動脈を洗浄する方向にカテーテルを押すときに、カテーテルが大動脈弓の湾曲に自動的に適合する様式で可撓性である。
【００１１】
ある実施形態では、駆動デバイスは、生物の外側（したがって、上記の例では大腿動脈の外側）に選択されており、回転可能なシャフトは、大腿動脈の中へ伸びており、たとえば、左心室の中へ伸びており、その中に位置決めされているカテーテルポンプ（心臓ポンプ）のポンプヘッドを駆動するようになっている。
【００１２】
さらなる実施形態は、カテーテルが、２つ以上のルーメンを含み、少なくとも１つのルーメンは、流体を遠位方向に導くように設計されており、少なくとも１つのルーメンは、流体を近位方向に導くように設計されていることを想定している。
【００１３】
ある実施形態では、第１のルーメンの中を遠位方向に導かれる流体フローの１０パーセントから９０パーセントが、別のルーメンの中を近位方向に導かれて戻され得る。したがって、いわゆる「Ｙ字形洗浄」によって、流体フローが、遠位方向に送達され、洗浄流体の一部が、たとえば、カテーテルの遠位端部において、心臓の中へ到達し、次いで、洗浄流体の別の一部が、それぞれの他のルーメンを通って再び出ていく。さらにより複雑な実施形態が可能であり、それによって、たとえば、軸受などの領域の中の摩耗破片をカテーテルデバイスから除去するために、駆動デバイス（すなわち、たとえば身体の外側に位置付けされている駆動体）が、さらに追加的に流体フローを供給される。
【００１４】
この理由のために、実施形態は、たとえば、より複雑な洗浄（フラッシング）手順を実施するために、または、（たとえば、分離デバイスをクリーニングするために）洗浄方向の逆転を検討するために、１つ、２つ、３つ、または、それ以上のバルブが設けられるということを想定することが可能である。
【００１５】
１つの実施形態は、いくつかのバルブ、たとえば２つのバルブが設けられており、第１のバルブの排出部は、カテーテルデバイスの駆動デバイスの給送部に接続されており、第２のバルブが存在しており、第２のバルブの給送部は、流体を近位方向に導くカテーテルのルーメンに接続されていることを想定している。
【００１６】
カテーテルデバイス１００の中のバルブの異なる実施形態が、特定の説明部分に示されている。これは、特に、実施形態８、９、１０、１１、および１２に関する。
【００１７】
また、クロージャーエレメントのバルブ駆動体が分離可能であるように、すなわち、クロージャーエレメントのバルブ駆動体が、ツール不要の様式で、構成体の残りの部分から分離され得るように、バルブが設計されており、特に、より簡単な交換を可能にし、また、構成体のパーツの複数の使用を伴っても、低いコストでの無菌状態を確実にするということが述べられるべきである。
【００１８】
また、バルブ駆動体は任意の様式で実現され得るということが述べられるべきである。磁気的に作用する駆動は別として、駆動は、純粋に機械的な様式でも実現され、また、それは、電気的にまたは誘導的にも実現され、ここでは、当業者が第１、第２、および／または第３の位置へのクロージャーエレメントの移動を実現することを可能にする任意の駆動が可能である。
【００１９】
なかでも、本出願は、また、カテーテルを通る流体フローの制御のためのバルブであって、バルブは、バルブ制御スペースを備えており、バルブ制御スペースでは、給送チャネルが給送開口部に伸びており、排出チャネルが排出開口部に伸びており、バルブは、クロージャーエレメントを備えており、クロージャーエレメントは、制御された様式でバルブ制御スペースの中で移動可能であり、クロージャーエレメントは、少なくとも１つの第１の位置において、排出開口部を閉じ、少なくとも１つの第２の位置において、給送開口部を閉じ、少なくとも１つの第３の位置において、給送開口部と排出開口部との間の接続チャネルを開いた状態に保持し、クロージャーエレメントを第１、第２、または第３の位置へ選択的に移動させるバルブ駆動体が設けられている、バルブに関する。１つの設計では、異なるバルブギャップサイズが、第３の位置またはさらなるバルブ位置において、フローの制御のために活性化させられ得る。
【００２０】
バルブは、設計に起因して、排出開口部を閉じることによって、および、給送開口部を閉じることによって、流体フローを遮断することが可能である。給送チャネルおよび排出チャネルという用語は、その流出を伴う給送チャネルが、通常のまたは統計的に最も多い状況および圧力条件の下で給送チャネルとして作用するチャネルを示すように選択される。排出チャネルという用語も、同様に定義される。
【００２１】
これに起因して、排出チャネルの中よりも高い給送チャネルの中の圧力によって、および、給送チャネルの中よりも高い排出チャネルの中の圧力によって、それぞれのケースでは、閉鎖力を支援する可能性が存在しており、したがって、圧力差に起因して、給送チャネルの中の過大圧力を所与として、クロージャー本体が排出開口部を閉じ、一方、排出チャネルの中の過剰圧力を所与として、クロージャー本体が給送開口部を閉じることによって、シールされたクロージャー本体の着座を支援する可能性が存在している。これらのケースのそれぞれにおいて、クロージャー本体は、機械的な駆動力に追加して、バルブ制御スペースとそれぞれに閉じたチャネルとの間の圧力差によって、閉鎖位置に保持されている。
【００２２】
特定のケースにおいて、給送チャネルは、排出チャネルとして機能することが可能であるので、また、その逆も同様であるので、簡単に、給送チャネルを第１のチャネルとして示し、排出チャネルを第２のチャネルとして示すことも可能である。
【００２３】
交互の圧力条件、または、長期間にわたって変化する圧力条件が見られ得るようなシステムにおいて、信頼性の高いシーリングが特に重要である。そのような条件は、たとえば、カテーテルに見られ、それは、機械的に駆動可能な回転シャフトを導くために、および／または、そのようなカテーテルを洗浄するために使用される。通常、回転シャフトを導くカテーテルを洗浄またはフラッシングするときに、非常に低い流体スループットが望まれ、この非常に低い流体スループットは、なかでも、所定の方向のみにさらに移動させられているシャフトの摩耗粒子につながる。そのような回転シャフトは、捩じられたワイヤーの束から製造されていることが多く、その束は、その外側輪郭において、らせん状の形状を有している。このらせん状の形状は、シャフトの急速回転のケースにおいて、シャフトを取り囲む洗浄流体の送達効果を達成し、吸い込み効果が洗浄流体の実際の回転運動に追加的に起こるようになっており、その回転運動は、洗浄剤ポンプによって実現される。摩耗および研磨性の摩擦に起因して、シャフトの輪郭が時間とともに変化するので、この吸い込み効果は、時間とともに変化する。これに起因して、圧力条件の変化は、対応する洗浄カテーテルにおいて起こり、それは、洗浄剤フローの逆転にもつながる可能性がある。それによって、本発明によるバルブによって、圧力条件から独立して、そのような流体フローの信頼性の高い遮断／制御を実現する可能性が求められている。上述のように、圧力勾配に応じて、給送開口部または排出開口部（または、第１の開口部もしくは第２の開口部）の選択的な閉鎖によって、それぞれの流体チャネルの閉鎖を実現する可能性が生じ、それぞれの閉じられる開口部は、位置にしたがって選択され得る。また、開口部におけるクロージャーエレメントの閉鎖位置は、圧力勾配によって安定化させられる。
【００２４】
設計は、バルブの少なくとも一部が使い捨てのコンポーネントとして考えられることを想定している。これは、たとえば、医療技術の分野において意味をなす。流体を導くコンポーネント（たとえば、バルブ制御スペース）は、このように、使い捨てのコンポーネントとして交換可能であり得る。たとえば、好ましくは、流体に直接的に接触することにならない、クロージャーエレメントのバルブ駆動体など、高価なコンポーネントが、再使用可能なコンポーネントとして想定される。したがって、たとえば、バルブ制御スペースが、カテーテルの一部になること、特に、たとえばプラスチック材料のカテーテルホースの一部になることが可能である。接触しない様式で（たとえば、磁気的に、誘導的に）動作するシステム、または、駆動力を伝達するために、たとえば、バルブ制御スペースの弾性的な特性を利用するシステムが、たとえば、バルブ駆動体として考慮され得る。
【００２５】
１つの設計は、第１の位置と第２の位置との間にあるクロージャーエレメントの第３の位置を想定している。
【００２６】
これは、流体チャネルの解放が、クロージャーエレメントの最小移動によって、閉鎖位置のそれぞれから可能にされるという効果、および、２つの閉鎖位置のそれぞれが、クロージャーエレメントの最小移動によって、急速で信頼性の高い様式で、第３の位置から到達され得るという効果を有している。
【００２７】
バルブ制御スペースが、給送開口部および排出開口部を除いて、すべての側部において、流体密封の様式で閉鎖されているということをさらに想定することが可能である。
【００２８】
この設計は、媒体の完全な分離を実現し、バルブ駆動体のエレメントが、制御されるべき実際の流体に接触しないようになっている。
【００２９】
これは、たとえば、移動可能な膜を含むクロージャーエレメントによって実現され、移動可能な膜は、流体密封の様式で、バルブ制御スペースを閉鎖し、また、給送開口部または排出開口部が膜の一部によって選択的に閉じられ得るような様式で撓むことが可能である。
【００３０】
膜は、流体密封の様式で、バルブ制御スペースの残りのパーツに周辺的に接続されており、特に、撓まない条件で結合または溶接されており、膜は、バルブ制御スペースのクロージャーを形成する。制御されるべき流体は、給送開口部と排出開口部との間の膜を通過して流れることが可能であり、または、その逆も同様である。それによって、膜は、弾性的にまたは塑性的に変形可能な様式で設計されており、具体的には、膜が、または、膜の一部が、２つの開口部のうちの１つの前に、すなわち、給送開口部または排出開口部の前に選択的に持っていかれる程度にまで、膜が撓ませられ、この開口部に押し付けられ得るようになっている。給送開口部または排出開口部の閉鎖は、これによって実現される。膜は、それぞれの給送開口部または排出開口部を開けるために弛緩し、理想的なケースでは、膜は、自分自身によって、または、その固有の張力に起因して、その初期条件へ移動するようになっている。
【００３１】
これに関して、本発明の有利な設計は、バルブ駆動体の駆動レバーが、少なくとも第１の位置および第２の位置へ膜を撓ませるということを想定している。
【００３２】
したがって、駆動レバーは、膜の下方に係合しており、また、膜が給送開口部または排出開口部と駆動レバーとの間にクランプされる程度にまで、これを撓ませ、それぞれの開口部を閉じる。バルブ駆動体の駆動レバーが移動させられて戻される場合には、膜は、それぞれの開口部から再び解放される。
【００３３】
それによって、その端部において膜に押し付ける駆動レバーは、たとえば、球形の形状または楕円体の形状を有することが可能であり、それは、特に、膜の介在の最中に、バルブ制御スペースの中の開口部の閉鎖に良く適している。
【００３４】
本発明のさらなる有利な設計は、クロージャーエレメントが、磁気的に作用するバルブ駆動体によって駆動可能であるということを想定することが可能である。
【００３５】
たとえば、そのような設計によって、たとえば、バルブ制御スペースがガス不浸透性の壁部または流体不浸透性の壁部によって磁気的な駆動体から分離されているということによって、バルブ自身を駆動ユニットから完全に分離することが可能である。バルブ制御スペースを取り囲む完全なバルブ本体は、再度、中間媒体分離壁部によって、駆動のために磁界を作り出すエレメントから分離され得る。
【００３６】
バルブ制御スペースから離れている駆動レバーの一部は、磁気的に設計され、たとえば、外部磁石によって撓むことが可能である。
【００３７】
そのうえ、本発明は、有利には、バルブ制御スペースの中に配置されているクロージャーエレメントが、磁気的にアクティブであり、バルブ駆動体の磁界と相互作用するように設計され得る。
【００３８】
このケースでは、クロージャーエレメント、または、クロージャーエレメントの一部は、たとえば磁化され得る磁石本体から構成され、または、少なくとも、強磁性の材料から構成され得、外部磁石の磁界の中で駆動され得る。このケースでは、クロージャーエレメントの磁気的にアクティブなパーツは、磁気的にアクティブでない流体不浸透性の層によってカバーされ、流体が、磁気的にアクティブなパーツに接触しないようになっており、バルブを通る流体のフローは制御されるべきである。
【００３９】
さらに有利な設計は、給送開口部および排出開口部が、流体密封の様式で閉鎖されること、特に、バルブ駆動の磁界を作り出すデバイスから分離可能であることを除いて、バルブ制御スペース、および、クロージャーエレメントに機械的に接続されているバルブ駆動体のパーツを想定している。
【００４０】
この設計に起因して、たとえば、バルブ制御スペースを含むバルブの一部を、場合に応じて、クロージャー本体、または、クロージャー本体の一部を、少ない労力で磁界生成デバイスから分離させる（それは、好ましくは、破壊のない様式で、分離すること／切り離すことを意味している）ことが可能であり、それが使い捨てのコンポーネントとして交換されることが可能である。次いで、そのパーツのための磁界生成デバイスは、複数回使用され得る。
【００４１】
本発明のさらに有利な設計は、クロージャーエレメントが、弾性的なスプリングエレメントによって、好ましくは、第３の位置に移動させられるということを想定している。
【００４２】
クロージャーエレメントは、弾性的なスプリングエレメント、たとえば、らせん状のスプリングによって、第３の位置に保持され、また、駆動体によって、スプリングの力に対抗して、第１の位置または第２の位置へ持っていかされ得る。バルブ駆動体をスイッチオフした後に、弾性的なスプリングエレメントが、クロージャーエレメントを第３の位置に自動的に移動させるということを想定している。このように、電磁石が駆動のために使用されるが、電源供給の故障の場合に、クロージャーエレメントが外力作用を受けないということに成功し、したがって、バルブが開けられた条件に静止したままになるということに成功する。そのうえ、第１の位置および第２の位置からのクロージャーエレメントの解放は、弾性的なスプリングエレメントによって支援される。
【００４３】
そのうえ、本発明は、磁石が、分離デバイスの一部として、バルブ制御スペースの上に直接的に設けられることによって、特に、クロージャーエレメントの内側に設けられることによって、有利に設計され得る。このケースでは、磁性粒子および磁化可能粒子は、バルブ制御スペースの中で、分離デバイスの磁石によって結合させられ、それらが、バルブのシーリング表面から遠ざけられるようになっている。それによって、特に、１つ以上の磁石が、バルブ駆動体の駆動アーマチュアとは別々に設けられ、特に、バルブ駆動体の駆動アーマチュアに対して距離を置かれて設けられるということを想定することが可能である。
【００４４】
しかし、分離デバイスの磁石が、バルブ駆動体の１つ以上の磁石に組み合わせまたは接続され、または、磁石の第１の機能的な表面が、粒子の分離のための役割を果たすことが可能であり、一方、他の機能的な表面が、バルブ機能のための役割を果たすことが可能であるということも想定することが可能である。
【００４５】
そのうえ、本発明は、流れる流体に関連しているバルブのための保護デバイスであって、流体の中に位置付けされている粒子を引き止めるための、少なくとも１つの磁気的なエレメントを備えた分離デバイスが、流体のためのフローチャネルに沿って、特に、カテーテルに沿って、バルブから距離を置かれた様式で、特に、バルブから分離された様式で設けられていることを特徴とする保護デバイスに関することが可能である。
【００４６】
分離デバイスは、有利には、流体の主要なフロー方向に関してバルブの上流に設けられ得るが、２つの上述のエレメントは、また、単に、互いに連続して設けられ、特に、互いに距離を置かれて設けられ、たとえば、異なるハウジングを備えた２つの別々の構築エレメントの形態で、互いから構築的に分離され得る。
【００４７】
バルブは、磁気的なエレメント、または、磁気的に作用するエレメントがないことが可能であり、たとえば、全体として、非磁性であることが可能である。それは、シーリング表面を含むことが可能であり、それは、粒子から保護されるべきである。
【００４８】
また、バルブは、駆動磁石またはアーマチュアなどのような、磁気的なコンポーネントを含むことも可能である。分離デバイスの磁石エレメントは、バルブの磁気的なコンポーネントから分離されている磁石、または、粒子分離の機能を専ら有する磁気的な構築エレメントの機能的な表面であることが可能であり、磁気的な構築エレメントの他の機能的な表面は、たとえば、駆動機能などのような、バルブの他の機能を実施することが可能である。この後者に述べられているケースでは、分離デバイスの磁石エレメントは、バルブの磁気的な構築エレメントと組み合わせられ、これと接合され、これとともにグループ化され、特に、ハウジングの中に一緒にグループ化され得る。
【００４９】
したがって、粒子が、特に、磁性粒子および／または磁化可能粒子がバルブに到達し、したがって、バルブ機能を損なわせる前に、たとえば、シーリング表面のシーリング機能を損なわせる前に、分離デバイスの機能的な表面は、粒子を捕捉および結合することが可能である。
【００５０】
本発明は、以降では、図面の図における実施形態によって、表され、説明されている。
【図面の簡単な説明】
【００５１】
【図１】磁気的なバルブ駆動体を備えたバルブの第１の実施形態を概略断面で示す図である。
【図２】図１のバルブ配置を３次元で示す図である。
【図３】本発明によるバルブの第２の実施形態を概略断面で示す図である。
【図４】弾性的なスプリングエレメントの図である。
【図５】図３のバルブ配置の３次元の図である。
【図６】分離デバイスに接続されているバルブを示す図である。
【図７】分離デバイスに接続されているさらなるバルブを示す図である。
【図８】シャフトがカテーテルの中で回転することによって駆動され得る、機能的エレメントのための駆動ユニットを示す図である。
【図９】図８による駆動ユニットの変形例を示す図である。
【図１０】カテーテルの中で回転するシャフトのための駆動デバイスのさらなる設計を示す図である。
【図１１】カテーテルの中で回転するシャフトのための駆動デバイスのさらなる設計を示す図である。
【図１２】図９による駆動ユニットの変形例を示す図である。
【００５２】
図１は、給送チャネル１と、排出チャネル２と、膜５を撓ませる駆動レバー３とを備えるバルブ本体１１を概略的に示している。膜５は、バルブ本体１１の中に位置付けされているバルブ制御スペース１２を流体密封の様式で閉じ、また、膜５は、給送チャネル１または排出チャネル２のいずれかを閉じるために、球形の端部１３によって、給送開口部１ａまたは排出開口部２ａに選択的に押し付けられ得る。
【００５３】
駆動レバー３は、シャフト７の周りに枢動可能であり、シャフト７は、スペーサースリーブ８とともに、駆動ハウジング６の中に装着されている。駆動レバー３は、実線で、第３の位置ＩＩＩにおいて表されており、第３の位置ＩＩＩでは、それは、給送開口部１ａと排出開口部２ａとの間で接続チャネルを開いたままになっており、同様に、駆動レバー３は、破線で、第１の位置Ｉにおいて表されており、第１の位置Ｉでは、球形の端部１３が膜５によって排出開口部２ａを閉じており、また、駆動レバー３は、点線の様式で、第２の位置ＩＩにおいて表されており、第２の位置ＩＩでは、駆動レバーが膜５によって給送開口部１ａを閉じている。
【００５４】
弾性的なスプリングエレメント１０が、下側部の中の駆動ハウジング６の中のらせん状のスプリングとして表されており、このらせん状のスプリングは、膜から離れている駆動レバー３の端部をハウジング６のベースに接続し、したがって、第３の位置ＩＩＩに駆動レバーを保持する。
【００５５】
２つの電磁石Ａ、Ｂが、駆動ハウジング６の両方の側部に表されており、これらは、それらが電流を受けるときに磁界を作り出し、磁界は、駆動レバー３の下側部１４に作用し、これを、磁力の方向に応じて、第１の位置Ｉまたは第２の位置ＩＩへ移動させる。駆動レバー３の下側部１４は、この目的のために、強磁性の磁化可能なコンポーネント、または、磁化されたコンポーネントのいずれかとして、磁気的にアクティブな様式で設計されている。
【００５６】
図２は、第１のハウジング１５を３次元の図で示しており、第１のハウジング１５は、バルブ制御スペースを備えたバルブ本体、ならびに、膜、および、駆動レバー３の少なくとも一部を含み、または収容しており、また、図２は、特に、駆動ハウジング６も示している。磁石Ａ、Ｂは、第２のハウジング１６の中に配置されており、第２のハウジング１６は、第１のハウジング１５に対して移動可能であり、また、特に、これから分離され得る。両方のハウジング１５、１６が接続されており、たとえば、第１のハウジング１５が、第２のハウジング１６のホルダーの中にスナップ留めまたはロックされ得るということを想定することが可能である。しかし、それは、第１のハウジング１５が別々に除去可能である場合に有利であるということが見出され、ハウジング１５の中に含有されているバルブデバイスの一部が、別々に交換され得るようになっており、特に、使い捨てのバルブパーツとして取り扱われ得るようになっている。
【００５７】
バルブ制御スペース１２ａを囲むバルブ本体１１ａを備えたバルブ配置が、図３に示されており、バルブ制御スペース１２ａの中には、クロージャー本体１７が移動可能に装着されている。クロージャー本体１７は、磁気的にアクティブなコア１７ａおよび被覆１７ｂを含み、被覆１７ｂは、特に、プラスチックから作製されており、コア１７ａを囲み、または被覆しており、軸受ワッシャー１８に接続されている。軸受ワッシャーは、図４において、平面図で表されている。それは、その周辺部において、バルブ本体１１ａの上に装着されており、全体として弾性的であり、それが、表されている中間位置にクロージャー本体１７を保持するようになっている。軸受ワッシャー１８は、いくつかの開口部２５を含み、開口部２５は、流体の通過流がバルブによって制御されることを可能にする。
【００５８】
クロージャー本体１７の端部１９、２０は、対応するクロージャー本体１７の撓みを伴って、および、軸受ワッシャー１８の弾性変形を伴って、それらが給送開口部１ａまたは排出開口部２ａを閉じることができるように形状決めおよび設計されている。
【００５９】
この目的のために、クロージャー本体１７の被覆１７ｂは、弾性的な材料から構成され、特に、たとえば、エラストマーから構成され得る。クロージャー本体１７の磁気的なコア１７ａは、磁石デバイスＡ’、Ｂ’によって、給送開口部１ａの方向または排出開口部２ａの方向のいずれかにクロージャー本体１７を引っ張る力に曝され、第１の閉鎖位置または第２の閉鎖位置にバルブを持っていくようになっている。
【００６０】
図５において、バルブ本体１１ａは、ハウジングとして３次元の図で表されており、ハウジングは、バルブ制御スペース１２ａ、給送チャネル１および排出チャネル２、ならびに、磁石デバイスＡ’およびＢ’を含むハウジング１６ａを囲んでいる。バルブデバイスの一部が使い捨てのバルブとして設計されるべきである場合には、ハウジング１１ａは、ハウジング部１６ａから分離可能であり、磁石デバイスが、数回使用され得るようになっており、または、使用され続けるようになっており、一方、バルブ制御スペース１２を含むバルブの一部が交換され得るようになっている。
【００６１】
図３は、本発明によるバルブを、同様に本発明による流体制御デバイスと組み合わせて示しており、それは、カテーテル２１と、カテーテル２１を通過する回転シャフト２２と、詳細には表されていない洗浄デバイスとを含み、バルブ本体１１ａと、バルブ制御スペース１２ａと、バルブ駆動体の機械的なパーツを備えたバルブが、洗浄デバイスの一部を形成している。洗浄デバイスのさらなるパーツは、たとえば、洗浄剤ポンプおよび洗浄剤貯蔵部であることが可能であり、それらは、詳細には表されていない。洗浄剤がバルブの適切な作動によってカテーテルの中へまたはカテーテルの外へ導かれることを可能にするために、給送チャネルまたは排出チャネル１、２は、カテーテル２１に接続され得る。また、シャフト２２の捩じられた構造体が、図３において認識されることとなり、これは、シャフト回転の速度およびシャフトの摩耗に応じて、異なる吸い込みおよび圧力効果につながることが可能である。
【００６２】
図６は、輸送チャネルを備える磁気的なバルブを示しており、輸送チャネルを通って、流体が、給送開口部１’と排出開口部２’との間を流れる。クロージャー本体５０が、第１の閉鎖位置と第２の閉鎖位置との間で、輸送チャネル８８の中で駆動され、第１の閉鎖表面５１は、第１の閉鎖位置においてバルブ開口部５１ａを閉じ、一方、閉鎖表面５２は、第２の閉鎖位置において、バルブ開口部５２ａを閉じる。
【００６３】
２つのバルブ駆動コイル５５、５６の磁界によって駆動され得る２つのアーマチュア本体５３、５４が、クロージャー本体５０の中へ一体化されている。分離デバイスの磁石８６は、アーマチュア本体５３、５４の間に、これらと同一平面になる様式で、軸線方向に配置されている。磁石本体８６を備えたアーマチュア本体には、共通の固体物質被覆８７が設けられている。固体物質被覆８７にくっつく粒子が、例として、１５に示されている。
【００６４】
保持スプリング５７、５８は、バルブ駆動コイルの励磁がないときに、クロージャー本体を中間位置に保持し、中間位置では、バルブが開いている。２つの滑り軸受５９、６０が、クロージャー本体５０をガイドするために、バルブハウジングの端部に設けられている。
【００６５】
図７は、給送開口部１’’と、排出開口部２’’と、クロージャー本体５０’とを備えたバルブを示している。クロージャー本体５０’は、第１の閉鎖位置と第２の閉鎖位置との間において、輸送チャネル８８’の中で駆動され、第１の閉鎖表面５１’が、第１の閉鎖位置において、バルブ開口部５１ａ’を閉じ、一方、閉鎖表面５２’が、第２の閉鎖位置において、バルブ開口部５２ａ’を閉じる。クロージャー本体５０’は、弾性的な透過性のディスク６１によって、バルブのハウジングの中に装着されており、開いた中間位置に保持されている。ディスク６１は、分離用磁石８６’、８６’’を担持しており、分離用磁石８６’、８６’’は、クロージャー本体５０’の中において、バルブ駆動アーマチュア６２、６３に接続されており、これらとともに、保護層によって包まれている。
【００６６】
バルブ駆動アーマチュア６２、６３は、コイル６４、６５の磁界の中で駆動され得る。輸送チャネルの中で、粒子は、保護層の上で分離用磁石の上に蓄積することが可能であり、そこに保持され得る。
【００６７】
特許請求の範囲に記載されているカテーテルデバイス１００が、ここで、いくつかの代替例で、図８〜図１２に表されている。
【００６８】
図８は、カテーテルデバイス１００を示しており、それは、駆動アーマチュア６６を備えた駆動ユニットを含み、駆動アーマチュア６６は、回転方向に駆動可能であり、カテーテル６８の中で回転シャフト６７を駆動する。ルーメンが、給送チャネル６９とし半径方向外側に設けられており、また、リターンチャネル７０として半径方向内側に設けられており、ルーメンは、カテーテル６８の中で互いに同心円状の様式で配置されており、カテーテルの外皮へ配置されている。給送チャネル６９およびリターンチャネル７０は、ホース状の分離壁部７１によって互いから分離されている。
【００６９】
洗浄流体は、貯蔵部７３から、カニューレとして設計されているルーメン７４およびバルブ７５を通して、体積制御式の蠕動ポンプ７２によってポンプ送りされる。２つの磁石７６および７７が、バルブの駆動のための役割を果たし、給送チャネル６９の中に一定の圧力を維持することを目的として、圧力スイッチ７８によって活性化される。このための流体は、バルブ７５を通して、駆動アーマチュア６６のハウジングを通して、輸送チャネルとして設計されているルーメン７９を通して、および、粒子が流体から能動的に濾過される分離デバイス８０を通して導かれる。分離デバイス８０は、図６に示されている分離デバイスのように構築され得る。ここから、流体は、給送チャネル６９を通して外向きにカテーテル６８の中へ流れ、また、リターンチャネル７０を通して内向きに流れ、そして、そこから蠕動ポンプ８１へ流れ、蠕動ポンプ８１は、流体を吸い込み、流体を貯蔵部８２の中へ導く。しかし、蠕動ポンプ８１は、逆洗のための役割を果たすことも可能であり、この目的のために、たとえば、捕捉された粒子を分離デバイスから除去するために、それが流体をリターンチャネル７０に送達し、そして、給送チャネル６９を介して、分離デバイスを通して、バルブ７５に戻し、貯蔵部７３の中へ送達するように動作させられ得る。
【００７０】
図９は、図８のものと同様の構築を示しており、駆動アーマチュア６６の前にあり蠕動ポンプ７２の後ろにあるバルブ７５に追加して、第２のバルブ７５’が、リターンチャネル７０とリターンポンプ８０との間に配置されている。図８は、据え付けコンポーネントに起因して、望ましくない真空がリターンの中に作り出されない洗浄システムに適用されているが、図９を、（たとえば、可撓性のシャフトの巻き付け方向に起因して）望ましくない真空がリターンの中に生じる洗浄システムに適用することも可能である。この真空は、センサーによって認識され、次いで、センサーは、バルブ７５’を底まで閉じることによって、媒体がコンテナ８２からポンプ８１を介して洗浄回路の中へ入らないことを確実にする。したがって、分離デバイスは、２つのバルブの間に配置されており、また、２つの流体送達デバイスの間に配置されており、そのうちの少なくとも１つが、特に両方が、フロー方向を逆転させるために、流体の送達方向に関して切り替えられ得る。図１０による構築に関して、図８の構築と比較して、貯蔵部８３によって交換されたものは蠕動ポンプ７２だけであり、それは、流体が重力に起因してバルブ７５を通りさらにカテーテル６８へ流れることによって、重力フラッシングを可能にする。カテーテル６８の中の回転シャフト８４は、捩じられたストランドに基づくその撚り合わせられた／捩じられた構築に起因して、らせん状の（コイル巻きにされた）外側構造体を有しており、それは、回転すると、駆動アーマチュア６６から離れる方向のポンピング効果をこれ自身に与える。体積制御式の蠕動ポンプ７２および貯蔵部７３を備えた別の変形例が、カテーテル６８への流体の給送に関して、図１０の右側に、点線８５の右側に表されている。そこでの蠕動ポンプは、たとえば、患者の身体の中へ導入される流体をカテーテルの内側に送達し、ローター８５ａを備えた心臓ポンプ８５において終了する。心臓ポンプは、たとえば、半径方向に圧縮させられ、つまり、全体として、それは、特に、粒子を生じやすい傾向がある可能性があり、粒子が、そこに到達する。次いで、流体は、そこから流れて戻る。分離デバイス８０は、それぞれのケースにおいて、フロー方向においてカテーテル６８の上流に、これと送達デバイス７３、８３との間に設けられ、特に、いずれのケースでも、心臓ポンプ８５の上流に設けられ得る。
【００７１】
図１１は、図９のものと同様の配置を示しており、蠕動ポンプ７２の代わりに重力送達８３が想定されており、通常動作のときに、流体は、そこからバルブを介してカテーテル６８の中へ導かれ、それは、第１に給送チャネル６９を通して外向きに導かれ、また、リターンチャネル７０の中へ内向きに導かれ、そして、そこから蠕動ポンプ８１へ導かれ、蠕動ポンプ８１は、流体を吸い込み、流体を貯蔵部８２の中へ導く。リターンチャネル７０と蠕動ポンプ８１との間で、流体は、第１に分離デバイス８０を通過し、分離デバイス８０は、リターンチャネルと駆動アーマチュア６６のハウジングとの間に配置されている。その後に、流体は、駆動アーマチュア６６を越えて蠕動ポンプ８１へ流れる。駆動アーマチュアを装着することは、比較的に感度が低い可能性があり、流体の通過流方向は、ここではあまり重要ではないようになっている。重要なことは、駆動アーマチュアのハウジングに流体が供給され、良好な潤滑を確実にするということである。そのうえ、選択された配置は、回転シャフト８４の磁気的な摩耗粒子が、このケースでは、駆動アーマチュアの軸受を損傷させることができないことを確実にする。
【００７２】
図１２は、図９と同様の構築を示しており、さらなる分離デバイス８０’は、粒子をくっつけることによって、バルブ７５’のシーリング表面の機能が損なわれないことを確実にする。
【００７３】
本出願は、なかでも、以下の態様に関する。
１．特にカテーテルを通る流体フローの制御のためのバルブを含み、バルブは、バルブ制御スペース（１２、１２ａ）を備えており、バルブ制御スペース（１２、１２ａ）では、給送チャネル（１）が給送開口部（１ａ）に伸びており、排出チャネル（２）が排出開口部（２ａ）に伸びており、バルブは、クロージャーエレメント（５、１３、１７）を備えており、クロージャーエレメント（５、１３、１７）は、制御された様式でバルブ制御スペース（１２、１２ａ）の中で移動可能であり、クロージャーエレメント（５、１３、１７）は、少なくとも１つの第１の位置（Ｉ）において、排出開口部（２ａ）を閉じ、少なくとも１つの第２の位置（ＩＩ）において、給送開口部（１ａ）を閉じ、少なくとも１つの第３の位置（ＩＩＩ）において、給送開口部（１ａ）と排出開口部（２ａ）との間の接続チャネルを開いた状態に保持し、クロージャーエレメント（５、１３、１７）を少なくとも第１、第２、または第３の位置へ選択的に移動させるバルブ駆動体（Ａ、Ｂ、Ａ’、Ｂ’、３、１４、１８）が設けられていることを特徴とするバルブ。
【００７４】
２．態様１に記載のバルブであって、クロージャーエレメント（５、１３、１７）の第３の位置（ＩＩＩ）は、第１の位置と第２の位置との間にあることを特徴とするバルブ。
【００７５】
３．態様１または２に記載のバルブであって、バルブ制御スペース（１２、１２ａ）は、クロージャーエレメント（５、１３、１７）のバルブ駆動体から分離され得ることを特徴とするバルブ。
【００７６】
４．態様１および態様２または３に記載のバルブであって、バルブ制御スペース（１２、１２ａ）は、給送開口部（１ａ）および排出開口部（２ａ）を除いて、すべての側部において、流体密封の様式で閉鎖されていることを特徴とするバルブ。
【００７７】
５．態様１および態様２〜４のいずれか１つに記載のバルブであって、クロージャーエレメント（５、１３、１７）は、移動可能な膜（５）を含み、移動可能な膜（５）は、流体密封の様式でバルブ制御スペース（１２）を閉鎖し、また、給送開口部（１ａ）または排出開口部（２ａ）が膜（５）の一部によって選択的に閉じられ得るように撓むことが可能であることを特徴とするバルブ。
【００７８】
６．態様５に記載のバルブであって、バルブ駆動体（３、１４、１８、Ａ、Ｂ、Ｂ、Ｂ’）の駆動レバー（３、１４）は、少なくとも第１および第２の位置において、膜（５）を撓ませることを特徴とするバルブ。
【００７９】
７．態様１および態様２〜６のいずれか１つに記載のバルブであって、クロージャーエレメント（５、１３、１７）は、磁気的に作用するバルブ駆動体（Ａ、Ａ’、Ｂ、Ｂ’）によって駆動され得ることを特徴とするバルブ。
【００８０】
８．態様７に記載のバルブであって、バルブ制御スペース（１２、１２ａ）の中に配置されているクロージャーエレメント（５、１３、１７）は、磁気的にアクティブであり、バルブ駆動体（Ａ、Ａ’、Ｂ、Ｂ’）の磁界と相互作用することを特徴とするバルブ。
【００８１】
９．態様６および７に記載のバルブであって、駆動レバー（３、１４）は、磁気的に駆動され得ることを特徴とするバルブ。
【００８２】
１０．態様７に記載のバルブであって、バルブ制御スペース（１２、１２ａ）、および、クロージャーエレメント（５、１３、１７）に機械的に接続されているバルブ駆動体のパーツ（３、１４、１８）は、給送開口部および排出開口部（１ａ、２ａ）を除いて、流体密封の様式で閉鎖されており、バルブ駆動体の磁界を作り出すデバイス（Ａ、Ａ’、Ｂ、Ｂ’）から分離され得ることを特徴とするバルブ。
【００８３】
１１．態様１および態様２〜１０のいずれか１つに記載のバルブであって、クロージャーエレメントは、弾性的なスプリングエレメント（１０、１８）によって、好ましくは、第３の位置（ＩＩＩ）へ移動させられることを特徴とするバルブ。
【００８４】
１２．態様１および態様２〜１１のいずれか１つに記載のバルブであって、磁石（１３’’、１３’’’、１３’’’’）は、分離デバイスの一部として、バルブ制御スペース（１２、１２ａ）の上に直接的に設けられており、特に、クロージャーエレメント（５、１３、１７）の内側に設けられていることを特徴とするバルブ。
【００８５】
１３．態様１２に記載のバルブであって、１つ以上の磁石（１３’’、１３’’’、１３’’’’）は、１つのバルブ駆動体の駆動アーマチュア（５３、５４、６２、６３）とは別々に設けられており、特に、１つのバルブ駆動体の駆動アーマチュア（５３、５４、６２、６３）に対して距離を置かれた様式で設けられていることを特徴とするバルブ。
【００８６】
１４．態様１〜１３のいずれか１つに記載のバルブを含むカテーテルであって、バルブ制御スペースは、クロージャーエレメントのバルブ駆動体から分離され得ることを特徴とするカテーテル。
【００８７】
１５．流れる流体に関連しているバルブ（７５、７５’）のための保護デバイスであって、流体の中に位置付けされている粒子を引き止めるための、少なくとも１つの磁石エレメント（８６、８６’、８６’’）を備えた分離デバイス（８０）が、流体のためのフローチャネル（７９、８８）に沿って、特に、カテーテルに沿って、バルブから距離を置かれた様式で、および、特に、バルブから分離された様式で設けられていることを特徴とする保護デバイス。
【図１】
2019217398.tif 000003
【図２】
2019217398.tif 000004
【図３】
2019217398.tif 000005
【図４】
2019217398.tif 000006
【図５】
2019217398.tif 000007
【図６】
2019217398.tif 000008
【図７】
2019217398.tif 000009
【図８】
2019217398.tif 000010
【図９】
2019217398.tif 000011
【図１０】
2019217398.tif 000012
【図１１】
2019217398.tif 000013
【図１２】
2019217398.tif 000014
【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
流れる流体に関連している１つまたは２つのバルブ（７５、７５’）のための保護デバイスであって、前記流体の中に位置付けされている粒子を引き止めるための、少なくとも１つの磁石エレメント（８６、８６’、８６’’）を備えた分離デバイス（８０）が、生物の中へ導入するためのカテーテルの前記流体のためのフローチャネル（７９、８８）に沿って、前記１つまたは２つのバルブから距離を置かれた様式で、特に、前記１つまたは２つのバルブから分離された様式で設けられていることを特徴とする保護デバイス。
【請求項２】
請求項１に記載の保護デバイスであって、
前記フローチャネル（７９、８８）は、カテーテルポンプ、特に膨張可能なカテーテルポンプの形態でカテーテルとして設計され、
前記カテーテルは、特に、回転可能なシャフトを含み、
前記回転可能なシャフトは、可撓性であり、人間の大動脈弓の湾曲に適合され得る様式で可撓性であることを特徴とする保護デバイス。
【請求項３】
請求項１または２に記載の保護デバイスであって、
カテーテルを通る流体フローの制御のための少なくとも１つのバルブを含み、前記少なくとも１つのバルブは、バルブ制御スペース（１２、１２ａ）を備えており、前記バルブ制御スペース（１２、１２ａ）では、給送チャネル（１）が給送開口部（１ａ）に伸びており、排出チャネル（２）が排出開口部（２ａ）に伸びており、前記少なくとも１つのバルブは、クロージャーエレメント（５、１３、１７）を備えており、前記クロージャーエレメント（５、１３、１７）は、制御された様式で前記バルブ制御スペース（１２、１２ａ）の中で移動可能であり、前記クロージャーエレメント（５、１３、１７）は、少なくとも１つの第１の位置（Ｉ）において、前記排出開口部（２ａ）を閉じ、少なくとも１つの第２の位置（ＩＩ）において、前記給送開口部（１ａ）を閉じ、少なくとも１つの第３の位置（ＩＩＩ）において、前記給送開口部（１ａ）と前記排出開口部（２ａ）との間の接続チャネルを開いた状態に保持し、前記クロージャーエレメント（５、１３、１７）を少なくとも前記第１、第２、または第３の位置へ選択的に移動させるバルブ駆動体（Ａ、Ａ’、Ｂ、Ｂ’、３、１４、１８）が設けられていることを特徴とする保護デバイス。
【請求項４】
請求項３に記載の保護デバイスであって、
前記クロージャーエレメント（５、１３、１７）の前記第３の位置（ＩＩＩ）は、前記第１の位置と前記第２の位置との間にあることを特徴とする保護デバイス。
【請求項５】
請求項３〜４のいずれか１項に記載の保護デバイスであって、
前記バルブ制御スペース（１２、１２ａ）は、前記クロージャーエレメント（５、１３、１７）の前記バルブ駆動体から分離され得ることを特徴とする保護デバイス。
【請求項６】
請求項３〜５のいずれか１項に記載の保護デバイスであって、
前記バルブ制御スペース（１２、１２ａ）は、前記給送開口部（１ａ）および前記排出開口部（２ａ）を除いて、すべての側部において、流体密封の様式で閉鎖されていることを特徴とする保護デバイス。
【請求項７】
請求項３〜６のいずれか１項に記載の保護デバイスであって、
前記クロージャーエレメント（５、１３、１７）は、移動可能な膜（５）を含み、前記移動可能な膜（５）は、流体密封の様式で前記バルブ制御スペース（１２）を閉鎖し、前記給送開口部（１ａ）または前記排出開口部（２ａ）を前記膜（５）の一部によって選択的に閉じることが可能であるように撓むことが可能であることを特徴とする保護デバイス。
【請求項８】
請求項３〜７のいずれか１項に記載の保護デバイスであって、
前記バルブ駆動体（Ａ、Ａ’、Ｂ、Ｂ’、３、１４、１８）の駆動レバー（３、１４）は、少なくとも前記第１および第２の位置において、前記膜（５）を撓ませることを特徴とする保護デバイス。
【請求項９】
請求項３〜８のいずれか１項に記載の保護デバイスであって、
前記クロージャーエレメント（５、１３、１７）は、磁気的に作用するバルブ駆動体（Ａ、Ａ’、Ｂ、Ｂ’）によって駆動され得ることを特徴とする保護デバイス。
【請求項１０】
請求項８または９に記載の保護デバイスであって、
前記バルブ制御スペース（１２、１２ａ）の中に配置されている前記クロージャーエレメント（５、１３、１７）は、磁気的にアクティブであり、前記バルブ駆動体（Ａ、Ａ’、Ｂ、Ｂ’）の磁界と相互作用することを特徴とする保護デバイス。
【請求項１１】
請求項７または８に記載の保護デバイスであって、
前記駆動レバー（３、１４）が、磁気的に駆動可能であるか、
前記バルブ制御スペース（１２、１２ａ）が、前記クロージャーエレメント（５、１３、１７）の前記バルブ駆動体から分離され得るか、
または両方であることを特徴とする保護デバイス。
【請求項１２】
請求項１０または１１に記載の保護デバイスであって、
前記バルブ制御スペース（１２、１２ａ）、および、前記クロージャーエレメント（５、１３、１７）に機械的に接続されている前記バルブ駆動体のパーツ（３、１４、１８）が、前記給送開口部および前記排出開口部（１ａ、２ａ）を除いて、流体密封の様式で閉鎖されており、前記バルブ駆動体の磁界を作り出すデバイス（Ａ、Ａ’、Ｂ、Ｂ’）から分離可能であるか、
前記クロージャーエレメントが、弾性的なスプリングエレメント（１０、１８）によって、好ましくは、前記第３の位置（ＩＩＩ）へ移動させられるか、
または両方であることを特徴とする保護デバイス。
【請求項１３】
請求項３〜１２のいずれか１項に記載の保護デバイスであって、
磁石（１３’’、１３’’’、１３’’’’）は、分離デバイスの一部として、前記バルブ制御スペース（１２、１２ａ）の上に直接的に設けられており、特に、前記クロージャーエレメント（５、１３、１７）の内側に設けられ、
前記１つのバルブ駆動体の駆動アーマチュア（５３、５４、６２、６３）の１つ以上の前記磁石（１３’’、１３’’’、１３’’’’）は、別々に設けられており、特に、距離を置かれた様式で設けられていることを特徴とする保護デバイス。
【請求項１４】
１つまたは２つのバルブ（７５、７５’）と、請求項１〜１３のいずれか１項に記載の保護デバイスと、を有することを特徴とする組立体。
【請求項１５】
１つまたは２つのバルブ（７５、７５’）と、請求項１〜１３のいずれか１項に記載の保護デバイスと、を有することを特徴とするカテーテルデバイス。